(57)【要約】      （修正有）【課題】揚錨船等のクレーンで、測定器を固定した架台を水底に設置、または水底から撤去ができ、現地潜水作業の省力化が図られ、作業効率が上がる測定器用の架台を提供する。【解決手段】水底に設置される測定器用の架台は、水底に設置される測定器の固定部１９と、この固定部の下部に固定した、複数の棒状部材２１を組み合わせて立体形状に形成した骨組み部２０と、この骨組み部の下部に固定した板状重垂２２とよりなることを特徴とする。【選択図】図１
0003167107.tif 000002
【実用新案登録請求の範囲】
【請求項１】
水底に設置される測定器の固定部と、
この固定部の下部に固定した、複数の棒状部材を組み合わせて立体形状に形成した骨組み部と、
この骨組み部の下部に固定した板状重垂とよりなることを特徴とする水底に設置される測定器用の架台。
【請求項２】
上記骨組み部は、正三角錐台状であり、その高さが１ｍ〜２ｍ、底面の一辺の長さが１．５ｍ〜２ｍ、重量が０．５ｔ〜１ｔであり、上記板状重垂は、上記骨組み部の底面の大きさよりも大きい正三角形状であり、その一辺の長さが１．７ｍ〜２．２ｍ、重量が１ｔ〜２ｔであることを特徴とする請求項１記載の水底に設置される測定器用の架台。
【請求項３】
上記板状重垂に吊り上げ用の金具を設けたことを特徴とする請求項１または２記載の水底に設置される測定器用の架台。
【請求項４】
上記板状重垂の下面に突起部を設けたことを特徴とする請求項１、２または３記載の水底に設置される測定器用の架台。
【考案の詳細な説明】
【技術分野】
【０００１】
本考案は、水底に設置される測定器用の架台、特に、水底に設置される、波高計、波向計、流速計などの定点式流況測定器の架台に関するものである。
【背景技術】
【０００２】
水底に設置される測定器は、例えば、径２０ｃｍ×高さ３０ｃｍ程度の円柱状のもので、小さく軽量である。そのため、このような測定器には、例えば、複数の平鋼を組み合わせて形成した、一辺８０ｃｍ程度の田の字状の架台などの専用架台が付属されているが、波浪の強い水底などに設置するには十分な大きさと重量を有していないので、このような測定器を固定した専用架台を水底に設置しても、波浪等により測定器が移動したり、傾いてしまうことがある。
【０００３】
そこで、従来においては、例えば、図４に示すように、専用架台１を、長さ１．８ｍ程度の４本の単管２を組んで井桁状に形成した架台３に固定し、これを潜水士４が水底５に設置して、上記各単管２の両端部に土嚢６を乗せて、上記架台３を水底５に固定し、この固定した上記架台３に測定器７を固定するようにしていた。
【０００４】
なお、８は水上に浮かぶ浮体、９、１０、１１は上記浮体８にそれぞれ設けた標識灯、赤旗、同期用テレメータ、１２は水底５に設置したシンカー、１３は上記浮体８と上記シンカー１２とを連結した浮きロープ、１４は上記シンカー１２と上記専用架台１とを連結したロープ、１５は潜水士船である。
【０００５】
または、従来においては、図５に示すように、予め水底５に塊状のシンカーブロック１６を設置し、このシンカーブロック１６に、潜水士４が、測定器７と専用架台１７とをボルト１８を介して固定するようにしていた。
【考案の概要】
【考案が解決しようとする課題】
【０００６】
しかしながら、上記従来においては、上記測定器７や上記架台３の設置や撤去を、潜水士４が行わなければならないため、時間と手間がかかるという欠点があった。
【０００７】
また、専用架台１を上記井桁状の架台３に固定して、水底５に設置した場合には、長時間計測すると、測定器７が堆積砂に埋まってしまい、測定が不可能になってしまうという欠点があった。
【０００８】
また、水底５が軟弱地盤で多少の起伏がある場合に、その場所に、上記井桁状の架台３をそのまま設置したのでは、その起伏により、上記架台３が傾斜して、水平方向の流況計測に支障がでる場合がある。そのため、潜水士４が上記架台３の傾斜を直す必要性があった。
【０００９】
また、専用架台１をシンカーブロック１６に固定して水底５に設置した場合には、シンカーブロック１６が大きな塊状であるので、波浪の影響を受け、移動したり、傾いてしまう場合があった。また、大きな塊状であるので、水の流れを遮り、測定器の測定値に誤差が出てしまう場合があった。
【００１０】
本考案は、上記の欠点を除くようにしたものである。
【課題を解決するための手段】
【００１１】
本考案の水底に設置される測定器用の架台は、水底に設置される測定器の固定部と、この固定部の下部に固定した、複数の棒状部材を組み合わせて立体形状に形成した骨組み部と、この骨組み部の下部に固定した板状重垂とよりなることを特徴とする。
【００１２】
また、上記骨組み部は、正三角錐台状であり、その高さが１ｍ〜２ｍ、底面の一辺の長さが１．５ｍ〜２ｍ、重量が０．５ｔ〜１ｔであり、上記板状重垂は、上記骨組み部の底面の大きさよりも大きい正三角形状であり、その一辺の長さが１．７ｍ〜２．２ｍ、重量が１ｔ〜２ｔであることを特徴とする。
【００１３】
また、上記重垂に吊り上げ用の金具を設けたことを特徴とする。
【００１４】
また、上記重垂の下面に突起部を設けたことを特徴とする。
【考案の効果】
【００１５】
本考案の水底に設置される測定器用の架台によれば、骨組み部と板状重垂とが一体であるので、例えば、揚錨船等のクレーンで、測定器を固定した架台を水底に設置、または水底から撤去ができ、現地潜水作業の省力化が図られ、作業効率が上がるという大きな利益がある。
【００１６】
また、骨組み部により立体形状に形成されると共に、重量のある板状重垂を設けたので、測定器が堆積砂で埋まるようなことがなく、また、波浪の影響を極力受けることがなく、また、十分な重量により、架台が動いたり、傾いたりすることがない。
【００１７】
また、板状重垂の下面はある程度の面積を有するので、軟弱地盤で多少の起伏があっても、上記板状重垂を水底に設置すれば、その重さにより、起伏が押しつぶされて、上記重垂が水底に対して水平に設置されるようになる。これにより、水平方向の流況計測も支障なく行うことができるようになる。
【００１８】
また、骨組み部を正三角錐台状とし、上記板状重垂を、正三角形状としたので、揚錨船等のクレーンにより安定して架台を吊り上げ、水底への設置ができるようになる。
【図面の簡単な説明】
【００１９】
【図１】本考案の水底に設置される測定器用の架台の正面図である。
【図２】本考案の水底に設置される測定器用の架台の平面図である。
【図３】本考案の水底に設置される測定器用の架台を水底に設置する際の説明図である。
【図４】従来の水底に設置される測定器用の架台の説明図である。
【図５】従来の水底に設置される測定器用の架台の説明図である。
【考案を実施するための形態】
【００２０】
以下、図面によって本考案の実施例を説明する。
【実施例１】
【００２１】
図１及び図２は、本考案の水底に設置される測定器用の架台を示し、１９は、水底に設置される測定器７を固定するための測定器固定用の板状の固定部、２０は、上記固定部１９の下部に固定した、複数の鋼製の棒状部材２１を組み合わせて立体形状に形成した骨組み部、２２は、上記骨組み部２０の下部に固定した板状重垂、２３は、上記板状重垂２２の上面に設けた、クレーンで吊り上げるための、吊り上げ用金具である。
【００２２】
上記固定部１９は、例えば、一辺６０ｃｍの正三角形状に形成されている。
【００２３】
また、上記骨組み部２０は、３本の棒状部材２１ａを組み合わせて正三角形状に形成させた底面部分２４と、この底面部分２４の各角部と上記固定部１９の各角部とをそれぞれ連結する３本の棒状部材２１ｂとからなる。
【００２４】
また、上記骨組み部２０の重量は０．５ｔ〜１ｔであり、特に、０．９ｔが好ましい。
【００２５】
また、上記底面部分２４の一辺の長さは、例えば、１．５ｍ〜２ｍであり、特に、２ｍが好ましい。また、上記骨組み部２０の高さは１ｍ〜２ｍであり、特に１ｍが好ましい。
【００２６】
なお、上記骨組み部２０は、立体形状の骨組みを形成できれば、上記棒状部材２１の数は特に限定されない。
【００２７】
また、上記板状重垂２２は、上記底面部分２４の大きさより大きく形成されたコンクリート製の底版であり、例えば、厚さ２０ｃｍ、一辺の長さが１．７ｍ〜２．２ｍ、重量が約１ｔ〜２ｔである。なお、特に、一辺の長さは２．２ｍで、重量は１．１ｔが好ましい。
【００２８】
また、上記重垂２２は上記底面部分２４を埋め込むことにより固定するようにしてもよい。
【００２９】
また、上記クレーン吊り上げ用の金具２３は、例えば、上記板状重垂２２の上面の縁部に３箇所に設ける。
【００３０】
なお、上記板状重垂２２の底面には、波浪による移動防止のために、ズレ止め用の突起部（図示せず）を設けてもよい。
【００３１】
また、上記架台の重さは板状重垂２２を含めて２．０ｔが好ましい。
【００３２】
本考案は上記のような構成であるから、図３に示すように、測定器７を固定した架台を、例えば、揚錨船２５のクレーンにより吊り上げ、水底５に設置すれば、その重量により、上記架台が水底５に固定されるようになる。
【００３３】
本考案の水底に設置される測定器用の架台によれば、骨組み部と板状重垂とが一体であるので、例えば、揚錨船等のクレーンで、測定器を固定した架台を水底に設置、または水底から撤去ができ、現地潜水作業の省力かが図られ、作業効率が上がるという大きな利益がある。
【００３４】
また、骨組み部により立体形状に形成されると共に、重量のある板状重垂を設けたので、測定器が堆積砂で埋まるようなことがなく、また、波浪の影響を極力受けることがなく、また、十分な重量により、架台が動いたり、傾いたりすることがない。
【００３５】
また、測定器の高さが、水底から１ｍ〜２ｍ程度であれば、データ解析に支障を及ぼさない。
【００３６】
また、板状重垂の下面はある程度の面積を有するので、軟弱地盤で多少の起伏があっても、上記板状重垂を水底に設置すれば、その重さにより、起伏が押しつぶされて、上記重垂が水底に対して水平に設置されるようになる。これにより、水平方向の流況計測も支障なく行うことができるようになる。
【００３７】
また、骨組み部を正三角錐台状とし、上記板状重垂を、正三角形状としたので、揚錨船等のクレーンにより安定して架台を吊り上げ、水底への設置ができる。
【符号の説明】
【００３８】
１    専用架台
２    単管
３    架台
４    潜水士
５    水底
６    土嚢
７    測定器
８    浮体
９    標識灯
１０    赤旗
１１    テレメータ
１２    シンカー
１３    浮きロープ
１４    ロープ
１５    潜水士船
１６    シンカーブロック
１７    専用架台
１８    ボルト
１９    固定部
２０    骨組み部
２１    棒状部材
２２    重垂
２３    金具
２４    底面部分
２５    揚錨船
【図１】
0003167107.tif 000003
【図２】
0003167107.tif 000004
【図３】
0003167107.tif 000005
【図４】
0003167107.tif 000006
【図５】
0003167107.tif 000007